(57)【特許請求の範囲】
【請求項１】
記録情報を記録する第１記録層と、
前記第１記録層を介して前記レーザ光を照射することで前記記録情報を記録する第２記録層と
を備えた情報記録媒体であって、
前記第１及び第２記録層の一方における前記レーザ光をフォーカスインさせるための特定の記録領域に対向する前記第１及び第２記録層の他方における一の記録領域を除く記録領域に、前記記録情報の記録を制御するための制御情報が記録されており、
前記第１及び第２記録層の他方には、前記記録情報を記録するグルーブと該グルーブに隣接するランドとが形成されており、
少なくとも前記一の記録領域を除く記録領域における前記グルーブは、所定周期で揺動し且つ前記制御情報を示すウォブルを有しており、
少なくとも前記一の記録領域を除く記録領域における前記ランドには、前記制御情報を示すプリピットが形成されており、
少なくとも前記一の記録領域における前記ランドには、誤った制御情報を示す前記プリピットが形成されている
ことを特徴とする情報記録媒体。
【請求項２】
前記特定の記録領域及び前記一の記録領域の少なくとも一方は、当該情報記録媒体に記録されている前記記録情報を管理する管理情報を記録するための管理情報エリアの少なくとも一部であることを特徴とする請求項１に記載の情報記録媒体。
【請求項３】
前記一の記録領域は、前記特定の記録領域と比較して大きいことを特徴とする請求項１に記載の情報記録媒体。
【請求項４】
前記制御情報は、当該情報記録媒体上において前記記録情報が記録される位置を示すアドレス情報を含んでいることを特徴とする請求項１に記載の情報記録媒体。
【発明の詳細な説明】
【技術分野】
【０００１】
本発明は、例えばＤＶＤ等の情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、同一基板上に複数の記録層が積層されてなる多層型若しくはダブルレイヤ又はマルチプルレイヤ型の光ディスク等も開発されている。より具体的には、二層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような多層型の情報記録媒体を作成する際には、Ｌ０層とＬ１層とを別々に形成し、最後に夫々の層を貼り合わせることで、低コストに二層型の光ディスクを製造することができる。【０００３】
そして、このような二層型の光ディスクを記録する、ＣＤレコーダ等の情報記録装置では、Ｌ０層に対して記録用のレーザ光を集光（或いは、照射）することで、Ｌ０層に対して情報を加熱などによる非可逆変化記録加熱などによる非可逆変化記録方式や書換え可能方式で記録し、Ｌ１層に対して該レーザ光を集光することで、Ｌ１層に対して情報を加熱などによる非可逆変化記録加熱などによる非可逆変化記録方式や書換え可能方式で記録することになる。このとき、情報の記録や再生を制御するべく、特許文献１に記載されているように、ウォブルされたグルーブと該グルーブ間に形成されたプリピットを用いている（特許文献１参照）。また、このような複数の記録層を備える光ディスクにおいては、特許文献２に示すように、記録されたデータを管理するための管理情報がいずれか一つの記録層に記録される構成をとることで、データの迅速な再生を図っている。【０００４】
【特許文献１】特開平９−３２６１３８号公報
【特許文献２】特開２００３−１６８２２１号公報
【発明の開示】
【発明が解決しようとする課題】
【０００５】
このような光ディスクにおいて、複数の記録層のうち所望の記録層へレーザ光のフォーカスを合わせたい場合に、当該所望の記録層とは異なる記録層へそのレーザ光のフォーカスが合ってしまうことがある。特に、プレーヤやレコーダ等に光ディスクを挿入した直後の管理情報の読取動作中において、異なる記録層へフォーカスが合ってしまうことが多い。このような場合、２層目のアドレス情報やトラッキング用の情報を、１層目のそれであると誤認して、ピックアップが光ディスクの内周側に向かって暴走し、その結果ストッパーにぶつかってしまう等という技術的な問題点を有している。更には、多層型の光ディスクに対応していない既存のプレーヤやレコーダにあっては、他の記録層へフォーカスが入っても、やはりピックアップが光ディスクの内周側に向かって暴走し、その結果ストッパーにぶつかってしまったり、そのままデータの記録及び再生動作を非正常に実行してしまうという技術的な問題点を有している。【０００６】
本発明は、例えば上述した従来の問題点に鑑みなされたものであり、例えば複数の記録層を有する情報記録媒体に適切に情報の記録し、また記録されたデータを再生することを可能とならしめる情報記録媒体を提供することを課題とする。
【課題を解決するための手段】
【０００７】
上記課題を解決するために、本発明の情報記録媒体は、レーザ光を照射することで記録情報を記録する第１記録層と、前記第１記録層を介して前記レーザ光を照射することで前記記録情報を記録する第２記録層とを備えた情報記録媒体であって、前記第１及び第２記録層の一方における前記レーザ光をフォーカスインさせるための特定の記録領域に対向する前記第１及び第２記録層の他方における一の記録領域を除く記録領域に、前記記録情報の記録を制御するための制御情報が記録されており、前記第１及び第２記録層の他方には、前記記録情報を記録するグルーブと該グルーブに隣接するランドとが形成されており、少なくとも前記一の記録領域を除く記録領域における前記グルーブは、所定周期で揺動し且つ前記制御情報を示すウォブルを有しており、少なくとも前記一の記録領域を除く記録領域における前記ランドには、前記制御情報を示すプリピットが形成されており、少なくとも前記一の記録領域における前記ランドには、誤った制御情報を示す前記プリピットが形成されている。
【０００８】
本発明の作用及び効果は以下に示す発明を実施するための最良の形態によって明らかにされよう。
【図面の簡単な説明】
【０００９】
【図１】本発明の情報記録媒体に係る第１実施例たる光ディスクの基本構造を示し、上側部分は複数のエリアを有する光ディスクの概略平面図であり、これに対応付けられる下側部分は、その径方向におけるエリア構造の図式的概念図である。
【図２】第１実施例に係る情報記録媒体の記録面における部分拡大斜視図である。
【図３】第１実施例に係る情報記録媒体のうちオポジットトラックパスの光ディスクのデータ構造を概念的に示すデータ構造図である。
【図４】比較例に係る情報記録媒体のデータ構造の一の例を概念的に示すデータ構造図である。
【図５】比較例に係る情報記録媒体のデータ構造の他の例を概念的に示すデータ構造図である。
【図６】第１実施例に係る情報記録媒体における、制御情報の記録の一の態様を概念的に示す平面図である。
【図７】第１実施例に係る情報記録媒体における、制御情報の記録の他の態様を概念的に示す平面図である。
【図８】第１実施例に係る情報記録媒体に記録された制御情報を読み取ることで得られるグルーブ検出信号を概念的に示すグラフである。
【図９】第１実施例に係る情報記録媒体における、制御情報の記録の他の態様を概念的に示す平面図である。
【図１０】本発明の情報記録媒体に係る第２実施例において、検出されるグルーブ検出信号の一の具体例を概念的に示すグラフである。
【図１１】本発明の情報記録媒体に係る第２実施例において、検出されるグルーブ検出信号の他の具体例を概念的に示すグラフである。
【図１２】本発明の情報記録媒体に係る第３実施例のデータ構造を概念的に示すデータ構造図である。
【図１３】発明の実施例に係る情報記録再生装置のブロック図である。
【符号の説明】
【００１０】
１  情報記録装置
１００  光ディスク
１０２、１１２  リードインエリア
１０３、１１３  リードアウトエリア
１１３ａ  エリア
１０４、１１４  ミドルエリア
【発明を実施するための最良の形態】
【００１１】
以下、発明を実施するための最良の形態としての本発明の実施形態に係る情報記録媒体について説明する。【００１２】
（情報記録媒体の実施形態）
本発明の情報記録媒体に係る実施形態は、レーザ光を照射することで記録情報を記録する第１記録層と、前記第１記録層を介して前記レーザ光を照射することで前記記録情報を記録する第２記録層とを備えた情報記録媒体であって、前記第１及び第２記録層の一方における前記レーザ光をフォーカスインさせるための特定の記録領域に対向する前記第１及び第２記録層の他方における一の記録領域を除く記録領域に、前記記録情報の記録を制御するための例えば全ての制御情報が記録されている。【００１３】
本発明の情報記録媒体に係る実施形態によれば、複数の記録層（即ち、第１記録層や第２記録層）の夫々において例えば映像情報や音楽情報等のコンテンツ或いはコンピュータ用のデータ情報等を含んでなる各種情報を記録することが可能である。係る複数の記録層は、例えば基板の一方の面上に積層構造に形成されている。【００１４】
本実施形態では特に、第１記録層において、レーザ光がフォーカスインする特定の記録領域に対向する第２記録層の一の記録領域を除く記録領域に制御情報が記録されている。ここに、本発明における「フォーカスイン」とは、例えば記録情報の記録時或いは再生時において、レーザ光を照射することで、該レーザ光の焦点を特定の記録領域にあわせる動作を示す趣旨である。特に、再生動作及び記録動作の最初に（具体的には、当該情報記録媒体の装填後最初に）レーザ光の焦点が合う動作を示すものであってもよい。そして、当該一の記録領域には、記録に必要な制御情報が殆ど又は全く記録されておらず、概ね一の記録領域を除く記録領域にのみ記録に必要な制御情報が記録されていることが好ましい。そして好ましくは、当該一の記録領域には、制御情報が記録されておらず、一の記録領域を除く記録領域にのみ制御情報が記録されていることが好ましい。【００１５】
従って、例えば後述の情報記録再生装置をして、例えば本来第１記録層にフォーカスインしたい場合に、誤って第２記録層の一の記録領域にフォーカスインしてしまったとしても、当該一の記録領域において制御情報を読み取ることはできない。即ち、記録情報の記録に必要な制御情報が記録されていないため、情報記録再生装置は、例えばその後の記録動作を続行することができない、或いは当該情報記録媒体は不良品であると判断する。このため、第２記録層にフォーカスインしてしまうことで、誤って第２記録層において記録情報の記録を行なってしまう等の不都合を防ぐことが可能となる。また、情報記録媒体を適切に認識することができず、情報記録再生装置の動作が停止してしまう或いは動作の暴走等の不都合を防ぐことも可能となる。この場合、例えば当該情報記録媒体をイジェクトし、再装填すれば、適切な記録層にフォーカスインすることができ、適切な記録動作を行うことが可能となる。【００１６】
特に、２層以上の記録層を有する情報記録媒体に対応していない情報記録再生装置であれば、２つの記録層を有する情報記録媒体であると判断することができないため、レーザ光がフォーカスインした記録層を適切な記録層として認識してしまうおそれがある。この場合、本来記録すべき記録層とは異なる記録層に記録情報を記録してしまうおそれがある。しかるに本実施形態に係る情報記録媒体によれば、誤って適切でない記録層（例えば、第２記録層）にフォーカスインしても、制御情報が記録されていないため、その後の記録動作を継続することができず、例えば当該情報記録媒体をイジェクト等することができる。従って、２層以上の記録層を有する情報記録媒体に対応していない情報記録再生装置であっても、適切な記録動作を実現することができる。言い換えれば、今後普及が見込まれる２層以上の記録層を有する情報記録媒体に、このような情報記録再生装置を用いて、所望の記録層に適切に記録情報を記録することができる。これにより、現在市場に流通している既存の情報記録再生装置と今後の普及が見込まれる２層以上の記録層を有する情報記録媒体との互換性を採ることができるという点で、本実施形態に係る情報記録媒体は大きな利点を有している。【００１７】
もちろん、２層以上の記録層を有する情報記録媒体に対応している情報記録再生装置であっても、第２記録層に誤ってフォーカスインしてしまうことで、本来意図しない記録層へ記録情報を記録してしまう不都合を防ぐことができるという大きな利点を有している。【００１８】
以上説明したように、本発明の情報記録媒体に係る実施形態によれば、本来第１記録層にレーザ光をフォーカスインしたい場合に、誤って第２記録層にフォーカスインしていることを適切に認識できる。従って、例えばその際に情報記録媒体の再装填等の対応を施すことで、複数の記録層を有する情報記録媒体において、適切に記録情報を記録することが可能となる。【００１９】
尚、上述の実施形態では、第１記録層におけるレーザ光がフォーカスインする特定の記録領域に対向する第２記録層の一の記録領域を除く記録領域に制御情報が記録されている情報記録媒体について説明を進めた。しかしながら、第２記録層におけるレーザ光がフォーカスインする特定の記録領域に対向する第１記録層の一の記録領域を除く記録領域に制御情報が記録されている情報記録媒体についても本発明の範囲に含まれることは言うまでもない。この場合、本来第２記録層にレーザ光をフォーカスインしたい場合に、誤って第１記録層にフォーカスインしていることを適切に認識でき、その結果、上述した各種利益を享受することができる。【００２０】
本発明の情報記録媒体に係る実施形態の一の態様は、前記特定の記録領域及び前記一の記録領域の少なくとも一方は、当該情報記録媒体に記録されている前記記録情報を管理する管理情報を記録するための管理情報エリアの少なくとも一部である。【００２１】
この態様によれば、管理情報エリアの一部に相当する一の記録領域に制御情報が記録されていない。従って、レーザ光が照射され得るリードインエリアやリードアウトエリアに誤ってフォーカスインすることで記録動作を行なう不都合を防ぐことが可能となる。【００２２】
本発明の情報記録媒体に係る実施形態の他の態様は、前記一の記録領域は、前記特定の記録領域と比較して大きい。【００２３】
この態様によれば、第２記録層に誤ってレーザ光がフォーカスインしてしまうという不都合をより効果的に認識することが可能となる。特に、貼り合わせ型の情報記録媒体にあっては、第１記録層と第２記録層との中心がずれる（即ち、偏心が発生する）ことがある。しかるに、この態様によれば、このようなズレをも見越して、相対的に大きな一の記録領域が設けられているため、仮に偏心が発生していても、そのズレを補うことが可能となる。【００２４】
本発明の情報記録媒体に係る実施形態の他の態様は、前記制御情報は、当該情報記録媒体上において前記記録情報が記録される位置を示すアドレス情報を含んでいる。【００２５】
この態様によれば、一の記録領域には、制御情報としてのアドレス情報が記録されていない。このため、仮に本来意図しないで第２記録層にレーザ光がフォーカスインしたとしても、アドレス情報を読み取ることができず、上述の各種利益を享受することが可能となる。【００２６】
本発明の情報記録媒体に係る実施形態の他の態様は、前記第１及び第２記録層の他方には、前記記録情報を記録するグルーブと該グルーブに隣接するランドとが形成されており、少なくとも前記一の記録領域を除く記録領域における前記グルーブは、所定周期で揺動し且つ前記制御情報を示すウォブルを有している。【００２７】
この態様によれば、一の記録領域においては、制御情報を示すウォブルが形成されていない。このため、誤って第２記録層の一の記録領域にレーザ光が照射されたとしても、ウォブルを検出することができず、結果として該ウォブルが示す制御情報を読み取ることができない。従って、上述した各種利益を享受することが可能である。【００２８】
この態様では、少なくとも前記一の記録領域を除く記録領域における前記ランドには、前記制御情報を示すプリピットが形成されているように構成してもよい。【００２９】
このように構成すれば、一の記録領域においては、制御情報を示すプリピットが形成されていない。特に、少なくともアドレス情報を示すプリピットは、一の記録領域においては形成されていないことがより好ましい。このため、誤って第２記録層の一の記録領域にレーザ光が照射されたとしても、プリピットを検出することができず、結果として該プリピットが示す制御情報を読み取ることができない。従って、上述した各種利益を享受することが可能である。【００３０】
このプリピットが形成される態様では、少なくとも前記一の記録領域における前記ランドには、誤った制御情報を示す前記プリピットが形成されているように構成してもよい。【００３１】
この態様によれば、一の記録領域においては、誤った制御情報を示すプリピットが形成されている。ここに、本発明における「誤った制御情報」とは、記録情報の記録を適切に行うことができない制御情報を示す趣旨である。例えば、制御情報がアドレス情報を示していれば、誤った制御情報として本来のアドレスとは異なるアドレスを示すアドレス情報が、例えば故意的に（或いは、当該情報記録媒体の製造時に予め）記録されている趣旨である。このため、誤って第２記録層の一の記録領域にレーザ光が照射されたとしても、適切に制御情報を読み取ることができない。従って、上述した各種利益を享受することが可能である。【００３２】
本発明のこのような作用及び他の利得は次に説明する実施例から明らかにされる。【００３３】
以上説明したように、本発明の情報記録媒体に係る実施形態は、第１記録層及び第２記録層を備え、第２記録層における一の記録領域を除く記録領域においては制御情報が記録されていない。従って、複数の記録層を有する情報記録媒体において、適切に記録情報を記録することが可能となる。
【実施例】
【００３４】
以下、本発明の実施例を図面に基づいて説明する。【００３５】
（情報記録媒体の実施例）
（１）第１実施例
先ず、図１から図９を参照して、本発明の情報記録媒体に係る第１実施例について説明を進める。【００３６】
先ず、図１を参照して、本発明の情報記録媒体に係る実施例としての光ディスクについて説明する。ここに、図１は、上側に複数のエリアを有する光ディスクの構造を概略平面図で示すと共に、下側にその径方向におけるエリア構造を概念図で対応付けて示すものである。【００３７】
先ず図１を参照して、本発明の情報記録装置の第１実施例の対象となる情報記録媒体に係る光ディスクの基本構造について説明する。ここに、図１（ａ）は、本発明の情報記録装置の第１実施例の対象となる情報記録媒体に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００３８】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、例えば透明基板２００上に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００３９】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、リードインエリア１０１、リードアウトエリア１０３又はミドルエリア１０４は更に細分化された構成であってもよい。【００４０】
特に、本実施例に係る光ディスク１００は、図１（ｂ）に示されるように、例えば、透明基板２００に、本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録や再生が行なわれるか又はＬ１層における記録や再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００４１】
尚、２層型光ディスクにおけるオポジットトラックパス方式及びパラレルトラックパス方式による記録再生手順及び各層におけるデータ構造については、後述される。【００４２】
図２に示すように、本実施例に係る光ディスク１００では、複数のデータエリア１０２等が例えば積層構造に形成される２層型の光ディスクとして構成されている。ここに、図２は、第１実施例の光ディスクの記録面における部分拡大斜視図である。【００４３】
図２において、第１実施例では、光ディスク１００は、ディスク状の透明基板１０６上に（図２では下側に）、情報記録面を構成する加熱などによる非可逆変化記録型の第１記録層１０７（即ち、Ｌ０層）が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への加熱などによる非可逆変化記録が実施される。他方、再生時には、記録レーザパワーよりも弱い再生レーザパワーでレーザ光ＬＢが照射されることで、第１記録層１０７へ書き込みされた記録データの読出しが実施される。【００４４】
そして、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００４５】
続いて、図３を参照して、第１実施例に係る光ディスクについて、より詳細に説明する。ここに、図３は、オポジットトラックパスの光ディスクのデータ構造を概念的に示すデータ構造図である。【００４６】
図３（ａ）に示すように、第１実施例に係る光ディスク１００は、本発明における「管理情報エリア」の一具体例たるリードインエリア１０１、データエリア１０２及びミドルエリア１０４によりＬ０層が構成されており、リードアウトエリア１１３、データエリア１１２及びミドルエリア１１４によりＬ１層が構成されている。そして、図３中黒線で示すように、データの記録を制御するためのクロック信号（即ち、同期用の信号）や本発明における「アドレス情報」の一具体例たるプリフォーマットアドレス情報等を含む制御情報が記録されている。尚、ミドルエリア１０４又は１１４は、データを記録する対象がＬ０層からＬ１層へと切り替わる際の干渉エリアとしての役割を果たしている。【００４７】
第１実施例では特に、Ｌ１層のリードアウトエリア１１３の一部のエリア１１３ａ（即ち、本発明における「一の記録領域」の具体例）には少なくとも１種類以上の制御情報が記録されていない。即ち、エリア１１３ａを除くエリアにのみ、すべての制御情報が記録されている。エリア１１３ａには全く制御情報がなくてもかまわない。このような制御情報は、例えばウォブル１０９やランドプリピットＬＰとして記録されている。【００４８】
このエリア１１３ａは、当該光ディスク１００にデータを記録する際に、後述の情報記録再生装置により最初にレーザ光ＬＢが照射されるＬ０層のエリアに対応するＬ１層のエリアである。即ち、エリア１１３ａとは、Ｌ０層のエリアにレーザ光ＬＢが照射された場合、そのエリアと同一の或いは概ね同一の位置にあるＬ１層のエリアに相当する。例えば、オポジットトラックパス方式の光ディスクであれば、レーザ光が照射されるＬ０層のエリアのプリフォーマットアドレス情報が示すアドレス値と補数の関係にあるアドレス値を有するＬ１層のエリアがエリア１１３ａに相当する。また、パラレルトラックパス方式の光ディスクであれば、レーザ光が照射されるＬ０層のエリアのプリフォーマットアドレス情報が示すアドレス値と同一のアドレス値を有するＬ１層のエリアがエリア１１３ａに相当する。【００４９】
より具体的に説明すると、図３（ｂ）に示すように、エリア１１３ａは、Ｌ０層のコントロールデータゾーン（即ち、本発明における「特定の記録領域」の一具体例）に対応するＬ１層のエリアである。即ち、当該光ディスク１００が、情報記録再生装置に装填された場合、情報記録再生装置は、先ずこのコントロールデータゾーンにレーザ光を照射することで、その後のデータの記録動作を行う。【００５０】
もちろん、最初にレーザ光が照射されるエリアがコントロールデータゾーン以外のエリアである場合は、エリア１１３ａは、コントロールデータゾーンに対応するエリアでなくともよいことは言うまでもない。【００５１】
ここで第１実施例に係る光ディスクの比較例について、図４及び図５を参照して説明する。ここに、図４は、比較例に係る光ディスクの一のデータ構造を概念的に示すデータ構造図であり、図５は、比較例に係る光ディスクの他のデータ構造を概念的に示すデータ構造図である。【００５２】
図４（ａ）に示すように、オポジットトラックパス方式の光ディスク１００ａにおいては、Ｌ０層及びＬ１層のいずれのエリアにおいても制御情報が記録されている。従って、Ｌ０層のコントロールゾーンにレーザ光ＬＢが照射された場合、誤って対応するＬ１層のエリアにおいてレーザ光ＬＢがフォーカスインしてしまうことがある。このとき、Ｌ１層においても制御情報を読み取ることができるため、情報記録再生装置は、そのアドレスを認識し、Ｌ１層において記録動作を継続しようとする。【００５３】
具体的にその場合の動作について以下に説明する。図４（ｂ）に示すように、Ｌ０層におけるアドレス値は、外周側（即ち、ミドルエリア１０４の側）へ向かうにつれて増加し、他方、Ｌ１層におけるアドレス値は、外周側（即ち、ミドルエリア１１４の側）へ向かうにつれて減少する。そして、レーザ光ＬＢが誤ってＬ１層にフォーカスインした場合、情報記録再生装置は、より内周側に位置するであろう（即ち、より小さなアドレス値を有するであろう）制御情報を読み取ろうとする。これは、Ｌ１層においてフォーカスインした位置におけるアドレス値は、本来Ｌ０層にフォーカスインした際に読み取るべき制御情報のアドレス値をよりも大きいためである。しかしながら、Ｌ１層においては、内周側へ向かうにつれてアドレス値が増加するため、情報記録再生装置は適切なアドレス値をサーチすべく、更に内周側へ光ピックアップを移動させる。このため、最終的には最内周側に位置するストッパーにより光ピックアップの移動が制限されるまでこの動作を継続することとなる。このような事態は、適切な記録動作或いは迅速な記録動作という観点から好ましくない。【００５４】
また、図５（ａ）に示すように、パラレルトラックパス方式の光ディスク１００ｂでも、図４に示したオポジットトラックパス方式の光ディスク１００ａと同様のことがいえる。パラレルトラックパス方式の光ディスク１００ｂでは、図５（ｂ）に示すように、プリフォーマットアドレス情報は、Ｌ０層及びＬ１層共に、外周側に移るにつれて増加する。従って、Ｌ１層においてフォーカスインした位置には、本来Ｌ０層にフォーカスインした際に読み取るべき制御情報が記録されていないため、情報記録再生装置は、より内周側（或いは、外周側）に位置するであろう制御情報を読み取ろうとする。しなしながら、Ｌ１層には当然、本来Ｌ０層にフォーカスインした際に読み取るべき制御情報が記録されているはずもなく、その結果、最終的には最内周側に（或いは、最内周側に）位置するストッパーにより光ピックアップの移動が制限されるまでこの動作を継続することとなる。【００５５】
このように、比較例に係る光ディスクの如く、記録面全体に制御情報が記録されている場合には、Ｌ１層においてもプリフォーマットアドレス情報等の制御情報（本来フォーカスインしたときに読み取るべき制御情報に限らず）を適切に読み込むことができる。従って、実際にはＬ１層においてレーザ光がフォーカスインしていても、情報記録再生装置としては、Ｌ０層にフォーカスインしていると認識してしまう。このため、上述したように、本来意図したとおりに適切にデータの記録を行うことができず、或いは適切な記録動作を継続することができないという技術的な問題点を有している。【００５６】
しかるに、第１実施例に係る光ディスクであれば、Ｌ１層のエリア１１３ａにはすべての制御情報は記録されていない。従って、レーザ光ＬＢが誤ってＬ１層にフォーカスインしたとしても、情報記録再生装置は、制御情報を読み取ることができず、結果として当該光ディスクは不良品である或いは適切でないと判断することができる。この場合、情報記録再生装置により自動的に或いはユーザの操作により光ディスクを再装填すれば、適切にＬ０層にフォーカスインすることができ、その後の適切な記録動作を継続することができる。このとき、再度Ｌ１層にフォーカスインしてしまう等の不都合があれば、再び光ディスクの再装填をするように構成してもよいし、或いは当該光ディスクが全くの記録不可能ディスクであると判断し、ユーザに他の光ディスクを装填する旨の指示を出力するように構成してもよい。【００５７】
いずれにせよ、第１実施例に係る光ディスクのように、Ｌ１層のエリア１１３ａに制御情報が記録されないように構成することで、適切な記録動作を継続できる。更には、上述の如く、無駄にＬ１層において制御情報をサーチするような動作を避けることができ、迅速な記録動作を実現することが可能となる。特に、２層以上の記録層を有する光ディスクに対応していない既存の情報記録再生装置であっても、誤ってエリア１１３ａにフォーカスインすれば、当該光ディスクは不良ディスクである或いは適切な光ディスクでないと判断することができる。即ち、本来第１記録層と第２記録層とを区別して認識することができない情報記録再生装置であっても、誤って第２記録層にフォーカスインしている（或いは、誤ったフォーカスインがなされている又は適切でないディスクがローディングされている）と判断することができる。従って、例えば再装填等の対応を適切にとることができ、適切な記録動作を継続することが可能となる。【００５８】
もちろん、図示しないパラレルトラックパス方式の光ディスクについても、Ｌ０層のうちレーザ光が最初に照射されるエリアに対応するＬ１層のエリアに制御情報が記録されない構造を採用してもよい。このように構成しても、上述した第１実施例に係る光ディスクと同様の利益を享受することが可能となる。【００５９】
続いて、図６から図９を参照して、第１実施例に係る光ディスクにおける制御情報の記録態様について、より詳細に説明する。ここに、図６及び図７、図９は、制御情報の記録態様を概念的に示す平面図であり、図８は、第１実施例に係る光ディスクに記録された制御情報を読み取ることで得られるグルーブ検出信号を概念的に示すグラフである。【００６０】
図６に示すように、エリア１１３ａにおいては、ランドプリピットＬＰを形成しないように構成してもよい。即ち、ランドプリピットＬＰを形成しないことで、プリフォーマットアドレス情報を記録しないように構成してもよい。これにより、情報記録再生装置は、エリア１１３ａにおいてプリフォーマットアドレス情報を読み取ることができず、当該光ディスクを不良品或いは適切でないと判断することができる。【００６１】
或いは、図７に示すように、ランドプリピットＬＰが形成されているが、該ランドプリピットＬＰにはプリフォーマットアドレス情報が含まれていないように構成してもよい。即ち、データの記録及び再生の同期を取るためのクロック信号（或いは、タイミング信号）のみを含んでいるランドプリピットＬＰが、ランドトラックＬＴ上に形成されているように構成してもよい。【００６２】
ここで、ランドプリピットＬＰについて具体的に説明すると、ランドプリピットＬＰは、概ね８ウォブル毎に３つずつ形成されている。そして、この３つのランドプリピットＬＰのうち、少なくとも一つが同期用のクロック信号を示しており、他のランドプリピットＬＰは、プリフォーマットアドレス情報やその他データの記録を制御する情報を示している。第１実施例では、この少なくとも一つの同期用のクロック信号のみを示すようにランドプリピットＬＰが形成されている。【００６３】
このように、同期用のランドプリピットＬＰが形成されている場合、情報記録再生装置は、図８に示すようなグルーブ検出信号が検出される。即ち、ウォブル１０９の所定周期に従って振動するグルーブ検出信号には、同期用のクロック信号のみが重畳され、他のプリフォーマットアドレス情報やデータの記録を制御する他の情報による信号は重畳されない。【００６４】
また、誤った情報を示すプリフォーマットアドレス情報やデータの記録を制御する他の情報を示すランドプリピットＬＰが形成されていてもよい。即ち、本来のアドレス値等を適切に示すことのないランドプリピットが形成されていてもよい。このように構成しても、情報記録再生装置は、プリフォーマットアドレス情報やデータの記録を制御する他の情報を読み取ることができず、結果として当該光ディスクを不良品或いは適切でないと判断することができる。【００６５】
図９に示すように、ウォブル１０９及びランドプリピットＬＰのいずれもが形成されていなくてもよい。即ち、グルーブトラックＧＴ及びランドトラックＬＴのいずれもが直線状に形成されていてもよい。【００６６】
（２）第２実施例
続いて、図１０及び図１１を参照して、本発明の情報記録媒体に係る第２実施例について説明する。ここに、図１０及び図１１は、第２実施例に係る光ディスクから検出されるグルーブ検出信号を概念的に示すグラフである。【００６７】
第２実施例に係る光ディスクも、第１実施例と同様のデータ構造を採用している。第２実施例では特に、上述のウォブルに所定の変調が施されていることで、データの記録動作時における同期用のクロック信号やプリフォーマットアドレス情報を検出することができる。例えばＣＤ−Ｒ／ＲＷのように、ウォブルに対してＦＭ（Frequency Modulation）変調を施すことで、図１０に示すようなグルーブ検出信号を検出することができる。或いは、例えばＤＶＤ＋Ｒ／ＲＷのように、ウォブルにＢＰＭ（Bi-Phase Modulation）変調を施すことで、図１１に示すようなグルーブ検出信号を検出することができる。【００６８】
本実施例では、エリア１１３ａにおいて、このような変調が施されていない。即ち、エリア１１３ａにおいてレーザ光を照射して制御情報を読み取ろうとしても、変調が施されていない（ないしは、制御情報を示すような適切な変調が施されていない）がゆえに、制御情報を読み取ることができない。即ち、図１０や図１１に示すように変調されたグルーブ検出信号ではなく、ウォブル１０９の揺動によるグルーブ検出信号のみが検出される。これにより、第２実施例に係る光ディスクにおいても、第１実施例に係る光ディスクと同様の利益を享受することが可能となる。【００６９】
（３）第３実施例
続いて、図１２を参照して、本発明の情報記録媒体に係る第３実施例について説明する。ここに、図１２は、第３実施例に係る光ディスクのデータ構造を概念的に示すデータ構造図である。【００７０】
図１２（ａ）に示すように、第３実施例に係る光ディスク１００ｃも、第１及び第２実施例に係る光ディスクと同様に、Ｌ０層においてレーザ光が最初に照射される領域に対応するＬ１層の領域には、すべての制御情報は記録されていない。【００７１】
第３実施例では特に、エリア１１３ａの大きさが、Ｌ０層においてレーザ光ＬＢが照射されるエリアの大きさと比較してより大きい。具体的には、図１３（ｂ）に示すように、エリア１１３ａは、Ｌ０層においてレーザ光ＬＢが照射されるエリアの大きさよりも、その両端が７０μｍ程度大きい。この「７０μｍ」なる大きさは、複数の記録層を有するＤＶＤにおいて、規格上許容される偏心の大きさである。【００７２】
このように偏心を考慮して制御情報が記録されないエリア１１３ａの大きさを定めることで、誤ってＬ１層にレーザ光ＬＢがフォーカスインしてしまうという不都合をより好適に判断することができる。即ち、偏心が発生しているがゆえに、Ｌ０層のコントロールデータゾーンとそれに対応するエリア１１３ａとが、レーザ光に対して適切に対応していないということもあり得る。このとき、第３実施例の如くエリア１１３ａの大きさを予め大きくしておけば、偏心が発生していたとしても、コントロールデータゾーンに対応するエリアには制御情報が記録されていない光ディスクを実現することができる。【００７３】
（情報記録再生装置）
次に図１３を参照して、本発明に係る情報記録媒体を用いてデータの記録再生を行う情報記録装置に係る実施例の構成及び動作について説明する。【００７４】
先ず、図１３を参照して、本発明の実施例に係る情報記録再生装置３００の構成について説明する。ここに、図１３は、本発明の実施例に係る情報記録再生装置３００のブロック図である。尚、情報記録再生装置３００は、光ディスク１００に記録データを記録する機能と、光ディスク１００に記録された記録データを再生する機能とを備える。【００７５】
図１３を参照して情報記録再生装置３００の内部構成を説明する。情報記録再生装置３００は、ＣＰＵ３５４の制御下で、光ディスク１００に情報を記録すると共に、光ディスク１００に記録された情報を読み取る装置である。【００７６】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作ボタン３１０、表示パネル３１１、及びバス３５７により構成されている。【００７７】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００７８】
光ピックアップ３５２は光ディスク１００への記録再生を行うもので、レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００７９】
信号記録再生手段３５３は、スピンドルモータ３５１と光ピックアップ３５２を制御することで光ディスク１００に対して記録再生を行う。【００８０】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【００８１】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェアは、メモリ３５５に格納されている。【００８２】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【００８３】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。【００８４】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【００８５】
本実施例では特に、光ディスク１００は、前述の如く制御情報が記録されていないエリア１１３ａを有しているため、誤ってＬ１層においてレーザ光ＬＢがフォーカスインしたとしても、それが誤りであると判断することが可能となる。従って、上述したように適切な記録動作を継続することが可能となる。【００８６】
また、上述の実施例では、情報記録媒体の一例として光ディスク１００、並びに情報記録再生装置の一例として光ディスク１００に係るレコーダ及びプレーヤについて説明したが、本発明は、光ディスク、並びにそのレコーダ及びプレーヤに限られるものではなく、他の高密度記録或いは高転送レート対応の各種情報記録媒体、並びにそのレコーダ及びプレーヤにも適用可能である。【００８７】
本発明は、上述した実施例に限られるものではなく、請求の範囲及び明細書全体から読み取れる発明の要旨或いは思想に反しない範囲で適宜変更可能であり、そのような変更を伴なう情報記録媒体もまた本発明の技術的範囲に含まれるものである。
【産業上の利用可能性】
【００８８】
本発明に係る情報記録媒体は、例えば、同一基板上に複数の記録層が積層されてなる多層型若しくはダブルレイヤ又はマルチプルレイヤ型の光ディスク等、複数の記録層を有する情報記録媒体に適切に情報を記録し、また記録されたデータを再生することを可能とならしめる情報記録媒体等に利用可能である。
【図１】
0004445471.tif 000002
【図２】
0004445471.tif 000003
【図３】
0004445471.tif 000004
【図４】
0004445471.tif 000005
【図５】
0004445471.tif 000006
【図６】
0004445471.tif 000007
【図７】
0004445471.tif 000008
【図８】
0004445471.tif 000009
【図９】
0004445471.tif 000010
【図１０】
0004445471.tif 000011
【図１１】
0004445471.tif 000012
【図１２】
0004445471.tif 000013
【図１３】
0004445471.tif 000014